(57)【要約】      （修正有）【課題】洗髪後の濡れた頭髪に使用するヘアキャップで、年齢、性別を問わず幅広い用途に使用することができ、被った状態に違和感が無く、作業をしていても差し障りの無いヘアキャップの提供。【解決手段】吸水性に優れたタオル生地を素材にして、裁断縫製加工したヘア用ドライキャップを先に帽子状に折り込んでから使用する為、頭の大きさに合わせて折り込む量を調整する事が出来るので年齢、性別を問わず幅広く使用する事ができ、締め付けられずに密着感が得られる。ヘルメットの下に着用する場合でも、前額部分と後頭部分を折り込んで二重にする事で、吸汗性に優れ、キャップ状なので、ヘルメットからのはみ出しも無く視界が狭まると言った作業安全上の問題も解決される。【選択図】図４
0003116144.tif 000002
【実用新案登録請求の範囲】
【請求項１】
吸水性に優れたタオル生地を（図１）の形状に裁断して縫製する。このタオルを各自の頭の大きさに合わせて（図４）の形状に折り込むだけで帽子型になり被って使用する事を特長としたヘア用ドライキャップ。
【請求項２】
髪型に合わせ、長髪の人は（図３）のゴムテープで弾力性の付いた４の部分に毛髪を入れ込んでしまう事で後ろ髪が持ち上げられるように収まり、短髪の人は４の部分を内側に折り込んで被ることによって、フィット感が得られる。この様に年齢、性別、髪型を問わず折り方を工夫するだけで、用途が広がる事を特長とした請求項１に記載のヘア用ドライキャップ。
【請求項３】
状況に応じて、前後逆向きに被って着用することも可能である。特にヘルメットの中に着用する際には後頭部側に折り込んで二重になった３の部分を持ってくることによりヘルメットを支えるようになるので、ズレ防止になる。また、帽子型になっているために、ただタオルを頭上にのせている時のようなはみ出し部分が無くフィットしている為に、作業安全上の問題も軽減される。帽子型という形状と、折り方によって、サイズの自在調整が可能である事を特長とした、請求項１、請求項２に記載のヘア用ドライキャップ。
【考案の詳細な説明】
【技術分野】
【０００１】本考案は、洗髪後の濡れた頭髪や、安全保護帽（ヘルメット）の中にかぶって使用する事で水分や汗を吸水させ毛根や頭髪を保護する為のヘア用ドライキャップに関するものである。
【背景技術】
【０００２】従来は、洗髪直後にヘアドライヤーを使用し強制的に乾燥させたり、入浴タオル若しくはドライタオルと呼ばれる通常のタオルの１０倍くらいの高価な物、長髪の人はスポーツタオルやバスタオルをただ前や後ろで結んだり、ターバン状に巻いたり、タオルの形状のまま工夫して使用していることが大半だと思う。【０００３】また、縫製加工し毛髪を包み込み両端をねじり上げるような形状のものを使用してみたが、高価なわりにはあまり効果が無く、固定させるためにねじった部分の毛髪が押さえつけられ、乾いた時にクセが付いてしまう。【０００４】工事現場では普通のタオルを頭上に乗せた状態でヘルメットをかぶっている姿を良く見かける。確かに汗を吸わせるには良いだろうが、ヘルメットからはみ出したタオルが両耳に垂れ下がっていて左右の視野が狭くなり、作業の安全上問題が生じる。【０００５】美容院では業界用語でタオルターバンと言われている方法で頭髪を包み込んでいるが、痛みを感じることもある。エステサロンでも施術中、クリームやパック剤が毛髪に付着しないようにタオルで頭髪を包み込んで両端を重ねてゴム等で固定している。施術後、押さえつけられた前髪にクセが付いてしまい困る事は多々有る。
【考案の開示】
【考案が解決しようとする課題】
【０００６】安価で、頭髪の長さや量、年齢、性別に関係なく、幅広い用途が広がり、見栄えも良く、かぶったままの状態で他の作業をしても差し障りの無い事。また、作業中ずれ落ちなどが無く安全上の問題が生じないヘアキャップの考案。
【課題を解決するための手段】
【０００７】本考案は吸水性に優れたタオル生地を使用する為に、多種多様な生地を比較的安易に入手する事が可能である為に、用途に合わせて素材を選ぶことによって高級感を重視した製品から、質より量を重視した安価な製品まで製作対応可能である。【０００８】また、本考案のヘア用ドライキャップの最大の特長は、裁断縫製加工して（図１）の形状に仕上げた物を数回折り込んで（図４）のキャップ状にしてからかぶって使用することにある。【０００９】簡単に説明すると（図１）の形状の物を頭の大きさに合わせて１と２を左右から下部中心部に向かって折り、（図２）の状態にして前額部を内側に折り込み（図３）の状態にする。４の後頭部分の下部には５のゴムが入っている事により、長髪の人は、ゴムの弾力性を利用して４の部分に後ろ髪をきれいに収めることが出来る。この状態で折り込んだ部分を前額部分に合わせてキャップ状にしてかぶる。また、短髪の人は、４の部分を毛髪の量や長さに応じて内側に折り込んで使用することにより、きちんと収さめる事が出来る。また、頭頂部２ヶ所をダイヤ型に裁断縫製する事により丸みができ、頭頂部にフィットする。前額部分と後頭部分を内側に折り込んで二重にした事により吸水性が上がる。
【考案の効果】
【００１０】本考案のヘアドライキャップは、使用する人の頭の大きさに合わせて折り込み部分の長さを調整してキャップ状に折ってからかぶる為に毛髪の量や髪型、また、年齢、性別を問わずに使用する事が可能である。
【考案を実施するための最良の形態】
【００１１】入浴後、洗髪して濡れたままの頭髪に本考案のヘア用ドライキャップをかぶることで、水分を吸収し、頭髪からの雫がたれ落ちる事無く、体の火照りが治まるまでにある程度頭髪が乾燥しているとので、後にヘアドライヤーをかける等の整髪作業が楽になると思われる。特に、夏場などは入浴直後にヘアドライヤーをかけると、再び汗をかいてしまい不快な思いをする事が常なので、本考案のヘアドライキャップをかぶり、暫しリラックスするのも良いし、他の作業をするにしても、形状がキャップ状なので締めつけが無く、快適な時間を過ごす事ができる。
【実施例】
【００１２】工事現場などで、ヘルメットの下に本考案のドライキャップを着用する場合、前頭部分と後頭部分を内側に折り込んで二重にする事で、ヘルメットのズレを防止し、特に夏場など作業中に汗が目に入ることも軽減される。形状をキャップ型に折ってからかぶる為に、両サイドがヘルメットからはみ出して視界を狭めることも無く、何よりも直接ヘルメットをかぶった時より、頭髪の汚れや蒸れが軽減される事で、毛根や頭髪への保護効果は絶大なものだと思われる【００１３】本考案のヘア用ドライキャップは、先にキャップ状にしてかぶせるだけなので、幼児のお風呂上りや、介護が必要な方のように素早い作業が求められる場合に最適だと思われる。
【産業上の利用可能性】
【００１４】本考案は、タオル生地を裁断縫製加工して作ってあり、一枚の形状の物をそれぞれの人の頭の大きさに合わせて折り、キャップ上にして使用するので、洗濯時にはまた、元の形状で少し厚めのタオル程度に戻っているので乾燥時間もキャップ状のままの製品より、短時間で済み繰り返しの使用、洗濯に支障が無い。【００１５】また、使用目的により、タオル生地の質を変える事で高級感を出す事も可能だし、反対に工事現場などでは、質より量でなるべく安価で枚数がある方が好まれると思う。素材がタオルなので、比較的多種多様な生地の入手が安易なために幅広い用途に応じた製品を提供する事が可能である。
【図面の簡単な説明】
【００１６】
【図１】ヘア用ドライキャップを広げた状態図
【図２】左右の前面部を下部中心部に向かって折った状態図。
【図３】前額部分を内側に折り返した状態図。
【図４】後頭部分を内側に折り込んだ状態図。
【符号の説明】
【００１６】    １  右前頭部折り返し部分
２  左前頭部折り返し部分
３  前頭部分
４  後頭部分
５  ゴムテープ
【図１】
0003116144.tif 000003
【図２】
0003116144.tif 000004
【図３】
0003116144.tif 000005
【図４】
0003116144.tif 000006
【手続補正書】
【提出日】平成17年8月4日(2005.8.4)
【手続補正１】
【補正対象書類名】実用新案登録請求の範囲
【補正対象項目名】全文
【補正方法】変更
【補正の内容】
【実用新案登録請求の範囲】
【請求項１】
頭部に被さるキャップ本体の前後布部と、この前後布部の両端に連ねられた左右折返し布片と、この前後布部と左右折返し布片との間で、而も上辺に切欠部を設け、この切欠部及び前後布部の下辺を除く周辺部分を縫合させて一体化することによって下辺に頭部が被る開口部を形成したことを特徴とするヘア用ドライキャップ。
【請求項２】
左右折返し布片は、切欠部を中心に折り返して頭部を囲繞すると共に、而も長髪時に巻き上げられた髪と共に後部布部に鉢巻状に仕舞い込む様にしたことを特徴とする請求項１記載のヘア用ドライキャップ。
【請求項３】
後部布部の開口部の下辺にゴム紐を備えたことを特徴とした請求項１〜２記載のヘア用ドライキャップ。
【手続補正２】
【補正対象書類名】明細書
【補正対象項目名】全文
【補正方法】変更
【補正の内容】
【考案の詳細な説明】
【技術分野】
【０００１】本考案は、洗髪後の濡れた頭髪や、安全保護帽（ヘルメット）の中に被って使用する事で水分や汗を吸水させ毛根や頭髪を保護する為のヘア用ドライキャップに関するものである。
【背景技術】
【０００２】  従来は、洗髪直後にヘアドライヤーを使用し強制的に乾燥させたり、入浴タオル若しくはドライタオルと呼ばれる通常のタオルの１０倍くらいの高価な物、長髪の人はスポーツタオルやバスタオルをただ前や後ろで結んだり、ターバン状に巻いたり、タオルの形状のまま工夫して使用していることが大半であった。【０００３】  また、縫製加工し毛髪を包み込み両端をねじり上げるような形状のものも考えられるが、高価なわりにはあまり効果が無く、固定させるためにねじった部分の毛髪が押さえつけられ、乾いた時にクセが付いてしまうことともなった。【０００４】  更に、工事現場では普通のタオルを頭上に乗せた状態でヘルメットを被っている姿を良く見かける。確かに汗を吸わせるには良いが、ヘルメットからはみ出したタオルが両耳に垂れ下がっていて左右の視野が狭くなり、作業の安全上問題が生じる。【０００５】  美容院では俗称タオルターバンと言われている方法で頭髪を包み込んでいるが、痛みを感じることもある。エステサロンでも施術中、クリームやパック剤が毛髪に付着しないようにタオルで頭髪を包み込んで両端を重ねてゴム等で固定している。施術後、押さえつけられた前髪にクセが付き、イメージを損なう事が多々ある。
【考案の開示】
【考案が解決しようとする課題】
【０００６】  安価で、頭髪の長さや量、年齢、性別に関係なく、幅広い用途が広がり、見栄えも良く、かぶったままの状態で他の作業をしても差し障りの無い事。また、作業中ずれ落ちなどが無く安全上の問題が生じないヘア用ドライキャップ。
【課題を解決するための手段】
【０００７】  本考案は頭部に被さるキャップ本体の前後布部と、この前後布部の両端に連ねられた左右折返し布片と、この前後布部と左右折返し布片との間で、而も上辺に切欠部を設け、この切欠部及び前後布部の下辺を除く周辺部分を縫合させて一体化することによって下辺に頭部が被る開口部を形成することによって、タオル生地の様な吸水性に優れたものを使用すれば、多種多様な生地を比較的安易に入手する事が可能であり、用途に合わせて素材を選ぶことによって高級感を重視した製品から、質より量を重視した安価な製品まで製作対応可能としたヘア用ドライキャップ。
【考案の効果】
【０００８】（１）本考案のヘア用ドライキャップは、使用する人の頭の大きさに合わせて左右折返し片の長さを調整してキャップ状に折ってから被る為に毛髪の量や髪型、また、年齢、性別を問わずに使用する事が可能である。
（２）入浴後、洗髪して濡れたままの頭髪に本考案のヘア用ドライキャップを被ることで、水分を吸収し、頭髪からの雫がたれ落ちる事無く、体の火照りが治まるまでにある程度頭髪が乾燥しているとので、後にヘアドライヤーをかける等の整髪作業が楽になると思われる。特に、夏場などは入浴直後にヘアドライヤーをかけると、再び汗をかいてしまい不快な思いをする事が常なので、本考案のヘアドライキャップを被り、暫しリラックスするのも良いし、他の作業をするにしても、形状がキャップ状なので締めつけが無く、快適な時間を過ごす事ができる。
（３）工事現場などで、ヘルメットの下に本考案のキャップを着用する場合、前頭部分と後頭部分を内側に折り込んで二重にする事で、ヘルメットのズレを防止し、特に夏場など作業中に汗が目に入ることも軽減される。形状をキャップ型に折ってから被る為に、両サイドがヘルメットからはみ出して視界を狭めることも無く、何よりも直接ヘルメットを被った時より、頭髪の汚れや蒸れが軽減される事で、毛根や頭髪への保護効果は絶大なものとなる。
【考案を実施するための最良の形態】
【０００９】以下本考案の実施の形態を示す図面に基づいて説明する。
【実施例】図１及び図２に示す如く、キャップ本体１は、頭部Ｈに被さる前後布部２ａ、２ｂと、この前後布部２ａ、２ｂの両端に連ねられた左右折返し布片３、４とで成している。而してこの前後布部２ａ、２ｂと左右折返し布片３、４との間で、而も上辺Ｘに切欠部５、５を設け、この切欠部５、５及び前後布部の下辺Ｙを除く周辺部分Ｐ縫合させて一体化しており、下辺Ｙに頭部Ｈが被る開口部６を形成する。
このキャップ本体１はタオル生地を裁断縫製加工して作っており、一枚の形状の物をそれぞれの人の頭の大きさに合わせて折り、キャップ上にして使用するので、洗濯時にはまた、元の形状で少し厚めのタオル程度に戻っているので乾燥時間もキャップ状のままの製品より、短時間で済み繰り返しの使用、洗濯に支障が無い。
また、図２、３は左右折返し布片３、４をその切欠部５、５を中心に折り返して頭部Ｈを囲繞すると共に、而も長髪時に巻き上げられた髪ｈと共に後部布部２ｂに鉢巻状に仕舞い込んでいる。
更に、後部布部２ｂの開口部６の下辺Ｙにはゴム紐７を設け、長髪の人は、ゴムの弾力性を利用して４の部分に後ろ髪をきれいに収めることが出来る。この状態で額部Ｈの前部にその左右折返し布片３、４を、図３に示す如く仕舞い込む。また、髪当部８を設けている。
【産業上の利用可能性】
【００１０】  本考案は、タオル生地を裁断縫製加工して作ってあり、一枚の形状の物をそれぞれの人の頭の大きさに合わせて折り、キャップ上にして使用するので、洗濯時にはまた、元の形状で少し厚めのタオル程度に戻っているので乾燥時間もキャップ状のままの製品より、短時間で済み繰り返しの使用、洗濯に支障が無い。【００１１】  また、使用目的により、タオル生地の質を変える事で高級感を出す事も可能だし、反対に工事現場などでは、質より量でなるべく安価で枚数がある方が好まれると思う。素材がタオルなので、比較的多種多様な生地の入手が安易なために幅広い用途に応じた製品を提供する事が可能である。
【図面の簡単な説明】
【００１２】
【図１】本考案に係るキャップ本体の使用状態図
【図２】同上の左右折返し布片を頭部を囲繞した状態図
【図３】同上の異なる状態図
【図４】同上の異なる状態図
【図５】キャップ本体の縫合前の展開図
【図６】キャップ着用時の側面図
【符号の説明】
【００１３】  Ｈ  頭部
１  キャップ本体
２ａ、２ｂ  前後布部
３、４  左右折返し布片
５  切欠部
６  開口部
上辺  Ｘ
下辺  Ｙ
Ｐ  周辺部分
７  ゴム紐
８  髪当部
【手続補正３】
【補正対象書類名】図面
【補正対象項目名】全図
【補正方法】変更
【補正の内容】
【図１】
0003116144.tif 000007
【図２】
0003116144.tif 000008
【図３】
0003116144.tif 000009
【図４】
0003116144.tif 000010
【図５】
0003116144.tif 000011
【図６】
0003116144.tif 000012